(57)【要約】【課題】中央本体部の下方の領域を明るく照らすことができる卓上用照明器具を提供すること。【解決手段】卓上用照明器具１では、中央本体部４から左右両側へ突出する左ウィング５および右ウィング６のそれぞれに備えられた蛍光ランプ１３が、点灯回路内蔵型である。そのため、中央本体部４では、蛍光ランプ１３の点灯回路を配置せずに済むので、中央本体部４内のスペースを有効利用して、このスペースにスポットランプ２１を配置することができる。これにより、中央本体部４の下方の領域をスポットランプ２１で明るく照らすことができる。【選択図】図２
2010287338.tif 000002
【特許請求の範囲】
【請求項１】
中央本体部と、
前記中央本体部から左右両側へ突出する左ウィングおよび右ウィングとを含み、
前記中央本体部の下面には、逆さお椀形の収容カップが、水平面内で回動可能に組込まれており、
前記収容カップ内には、下方に臨む多数個のＬＥＤが配列されたスポットランプが、水平軸を中心に揺動可能に収容されており、
前記左ウィングおよび前記右ウィングは、共に、左右方向に長手をし、前後方向断面が上方へ凸湾曲し、下面に開口を有するセードと、当該セードの開口に嵌め込まれたルーバーと、当該セード内に収容された点灯回路内蔵型の長手蛍光ランプとを備え、それぞれが前記中央本体部に対して水平面内で回動可能に連結されており、
前記スポットランプの照射方向ならびに前記中央本体部に対する前記左ウィングおよび前記右ウィングの回動角度を調整することにより、卓上所望の位置を前記ＬＥＤおよび前記蛍光ランプのカクテル光で照射できることを特徴とする、卓上用照明器具。
【請求項２】
前記ＬＥＤの照射光の色と、前記蛍光ランプの照射光の色とが互いに異なることを特徴とする、請求項１記載の卓上用照明器具。
【発明の詳細な説明】
【技術分野】
【０００１】
この発明は、机の天板などに取り付けられて天板表面（机上）を照らす卓上用照明器具に関する。
【背景技術】
【０００２】
机の天板表面を上から臨むように配置されて天板表面を照らす照明器具が知られている（特許文献１参照）。特許文献１に記載の照明器具は、点灯回路を内蔵した中央本体部と、中央本体部から左右に回動自在に取り付けられた１対の照明ヘッドとを有しており、各照明ヘッドを任意に回動させることにより、照明ヘッドに装着された蛍光灯で卓上（机の天板の表面上）の所望の位置を照らすことができる。
【先行技術文献】
【特許文献】
【０００３】
【特許文献１】特許第４２２６８０９号公報
【発明の概要】
【発明が解決しようとする課題】
【０００４】
特許文献１に記載の照明器具では、中央本体部が、点灯回路を内蔵している一方で、下方を照らすランプを内蔵していないので、中央本体部の下方の領域は、照明ヘッドの下方の領域に比べて必然的に暗くなってしまう。
この発明は、かかる背景のもとになされたもので、中央本体部の下方の領域を明るく照らすことができる卓上用照明器具を提供することを目的とする。
【０００５】
また、この発明は、複数個の光源からの光によるカクテル照明を実現した卓上用照明器具を提供することを他の目的とする。
【課題を解決するための手段】
【０００６】
請求項１記載の発明は、中央本体部と、前記中央本体部から左右両側へ突出する左ウィングおよび右ウィングとを含み、前記中央本体部の下面には、逆さお椀形の収容カップが、水平面内で回動可能に組込まれており、前記収容カップ内には、下方に臨む多数個のＬＥＤが配列されたスポットランプが、水平軸を中心に揺動可能に収容されており、前記左ウィングおよび前記右ウィングは、共に、左右方向に長手をし、前後方向断面が上方へ凸湾曲し、下面に開口を有するセードと、当該セードの開口に嵌め込まれたルーバーと、当該セード内に収容された点灯回路内蔵型の長手蛍光ランプとを備え、それぞれが前記中央本体部に対して水平面内で回動可能に連結されており、前記スポットランプの照射方向ならびに前記中央本体部に対する前記左ウィングおよび前記右ウィングの回動角度を調整することにより、卓上所望の位置を前記ＬＥＤおよび前記蛍光ランプのカクテル光で照射できることを特徴とする、卓上用照明器具である。
【０００７】
請求項２記載の発明は、前記ＬＥＤの照射光の色と、前記蛍光ランプの照射光の色とが互いに異なることを特徴とする、請求項１記載の卓上用照明器具である。
【発明の効果】
【０００８】
この発明によれば、この卓上用照明器具では、中央本体部から左右両側へ突出する左ウィングおよび右ウィングのそれぞれに備えられた蛍光ランプが、点灯回路内蔵型である。そのため、中央本体部では、蛍光ランプの点灯回路を配置せずに済むので、中央本体部内のスペースを有効利用して、このスペースにスポットランプを配置することができる。これにより、中央本体部の下方の領域をスポットランプで明るく照らすことができる。
【０００９】
詳しくは、中央本体部の下面には、逆さお椀形の収容カップが、水平面内で回動可能に組込まれており、スポットランプは、収容カップ内において、水平軸を中心に揺動可能に収容されている。そのため、収容カップを回動させ、さらに、スポットランプを揺動させることで、スポットランプは、照射方向を自在に変えて、卓上の所望の領域を照らすことができる。
【００１０】
ここで、スポットランプは、下方に臨む多数個のＬＥＤで構成されており、ＬＥＤが発する光の色は、左ウィングおよび右ウィングのそれぞれの蛍光ランプが発する光の色と異なる。また、左ウィングおよび右ウィングのそれぞれは、中央本体部に対して水平面内で回動可能に連結されている。そして、左ウィングおよび右ウィングのそれぞれにおいて、蛍光ランプは、セードの下面の開口から下方を臨んでいる。
【００１１】
このような構成の卓上用照明器具では、スポットランプの照射方向ならびに中央本体部に対する左ウィングおよび右ウィングの回動角度を調整することにより、卓上所望の位置をＬＥＤおよび蛍光ランプの互いに異なる色の光の合成光（カクテル光）で照射できる。つまり、ＬＥＤの光の色と蛍光ランプの光の色とを混ぜ合わせることで、ＬＥＤ単体または蛍光ランプ単体で照射する場合に比べて、色合いの変わった照明が可能となる。
【図面の簡単な説明】
【００１２】
【図１】机の天板１００に取り付けられた状態にある卓上用照明器具１の正面図である。
【図２】卓上用照明器具１の要部底面図である。
【図３】卓上用照明器具１の要部平面図であって、左ウィング５および右ウィング６が図２の状態から所定角度だけ前側へ回動した状態を示している。
【図４】図２の要部拡大図である。
【図５】図４のＡ−Ａ矢視断面図である。
【図６】左ウィング５だけが図２の状態から所定角度だけ前側へ回動した状態を示しており、（ａ）は、卓上用照明器具１の要部平面図であり、（ｂ）は、卓上用照明器具１の正面図である。
【発明を実施するための形態】
【００１３】
以下には、図面を参照して、この発明の一実施形態としての卓上用照明器具１について具体的に説明する。
図１は、机の天板１００に取り付けられた状態にある卓上用照明器具１の正面図である。
図１を参照して、この卓上用照明器具（以下では、単に「照明器具」という。）１は、ベース支柱２と、クランク支柱３と、中央本体部４と、左ウィング５と、右ウィング６とを含んでいる。ここで、図１に示すように照明器具１を正面から見たときを基準として、照明器具１の向きを特定する。
【００１４】
ベース支柱２は、下端部において机の天板１００に固定され、天板１００の表面（上面）から垂直方向に沿って上向きに延びている。ベース支柱２は、中空になっている。なお、図では、ベース支柱２の長さが一部省略されている。また、天板１００の表面は、水平面であるとする。
クランク支柱３は、ベース支柱２の中空部分に上から挿通されている。クランク支柱３は、ベース支柱２から上側へ延びた後に折れ曲って手前側へ延びている。そのため、クランク支柱３は、側方（幅方向）から見て、略Ｌ字状をなしている。
【００１５】
図２は、卓上用照明器具１の要部底面図である。図３は、卓上用照明器具１の要部平面図であって、左ウィング５および右ウィング６が図２の状態から所定角度だけ前側へ回動した状態を示している。
図２を参照して、中央本体部４は、クランク支柱３の手前側の端部（図２では上端部）に取り付けられており、底面視で、前側（図２では上側）へ向かって幅狭となる略矩形状である。中央本体部４は、上下に所定の厚みを有しており（図１参照）、その下面は、略水平方向に沿って平坦である一方で、その上面は、幅方向から見て上方へ凸湾曲している（図１参照）。
【００１６】
中央本体部４の前端面（図２では上端面）には、３つのスイッチ７が幅方向に並んで設けられている。３つのスイッチ７のうち、左端のスイッチ７を左スイッチ７Ｌとし、真ん中のスイッチ７を中スイッチ７Ｃとし、右端のスイッチ７を右スイッチ７Ｒとする。これらのスイッチ７を操作するとどうなるかという事については、後述する。
中央本体部４の前端面において３つのスイッチ７の上側には、ハンドル８が一体的に設けられている。ハンドル８は、底面視で前側へ向かって幅狭となる略等脚台形状であり、その中央には、ハンドル８を上下（図２では紙面に垂直な方向）において貫通する穴９が形成されている。この穴９に指先を差し込むようにハンドル８を掴むことで、中央本体部４、左ウィング５および右ウィング６の全体（後述する本体ユニット１８）の姿勢を変えることができる。
【００１７】
ここで、中央本体部４の下面の幅方向中央には、スポットランプユニット１０が設けられている。スポットランプユニット１０については、後述する。
左ウィング５および右ウィング６は、ともに幅方向（左右方向）に長手であり、それぞれの長手方向寸法は、同じである。詳しくは、左ウィング５および右ウィング６は、共に、セード１１と、ルーバー１２と、蛍光ランプ１３とを備えている。
【００１８】
セード１１は、左ウィング５または右ウィング６の外郭をなす中空体であり、底面視で、幅方向に長手の略矩形状をなしている。底面視において、セード１１の幅方向外側端部（左ウィング５の場合は左端部であり、右ウィング６の場合は右端部）の角は丸められている。セード１１の前後方向断面（幅方向から見たときの断面）は、上方へ凸湾曲している（図１参照）。セード１１の下面は、水平方向に沿って平坦である。底面視において、セード１１の下面では、輪郭以外の部分が、開口１４をなしている。開口１４は、幅方向に長手であり、セード１１の内部を下方へ露出させている。
【００１９】
ルーバー１２は、底面視で開口１４とほぼ同じ大きさを有する幅方向に長手で上下に薄い板状である。ルーバー１２には、そのほとんどの領域を上下に貫通する露出穴１５が形成されている。露出穴１５は、幅方向に長手の略矩形状である。露出穴１５には、複数枚の導光板１６が設けられている。複数枚の導光板１６は、前後方向（図２では上下方向）に薄くて幅方向に延びる３枚の第１導光板１６Ａと、幅方向に薄くて前後方向に延びる３枚の第２導光板１６Ｂとで構成されている。３枚の第１導光板１６Ａは、前後に間隔を隔てており、３枚の第２導光板１６Ｂは、幅方向に間隔を隔てている。そのため、全ての導光板１６は、全体で、底面視で格子状をなしている。
【００２０】
このようなルーバー１２は、セード１１の開口１４に対して、下側から嵌め込まれており、開口１４を下側から塞いでいる。この状態において、セード１１の内部は、ルーバー１２の露出穴１５から下方へ露出されている。
蛍光ランプ１３は、セード１１内に収容されており、セード１１に沿って（図２では幅方向に沿って）長手である。蛍光ランプ１３の長手方向寸法は、セード１１の長手方向寸法よりやや小さい。そして、この蛍光ランプ１３は、蛍光ランプ１３自身が点灯回路を内蔵するタイプ（点灯回路内蔵型）である。蛍光ランプ１３は、ルーバー１２の露出穴１５から下方を臨んでいる。
【００２１】
このような構成の左ウィング５および右ウィング６のそれぞれは、幅方向内側端部（左ウィング５の場合は右端部であり、右ウィング６の場合は左端部）おいて、垂直方向に延びる軸１７を介して中央本体部４に連結されている。この状態で、左ウィング５および右ウィング６は、中央本体部４から左右両側へ突出しており、左ウィング５および右ウィング６のそれぞれは、対応する軸１７を中心として、水平面内で回動可能である。
【００２２】
詳しくは、左ウィング５および右ウィング６のそれぞれは、幅方向に沿った一直線をなすように中央本体部４につながるホームポジション（図２参照）から前側へ任意の角度で回動して、中央本体部４から幅方向外側かつ前側へ向かうように傾斜することができる（図３参照）。
そして、中央本体部４と、中央本体部４に連結された左ウィング５および右ウィング６とのまとまりは、本体ユニット１８とされる。ここで、中央本体部４は、クランク支柱３の手前側の端部によって、幅方向に延びる軸（図示せず）を介して連結されており、この軸（図示せず）を中心として回動可能である。これに応じて、本体ユニット１８全体が、上述した軸（図示せず）を中心として回動して、上下の向きを任意に変えることができる。
【００２３】
なお、中央本体部４とクランク支柱３との連結部分には、ロックレバー１９が設けられており、ロックレバー１９を操作することにより、本体ユニット１８の回動をロックしたり、そのロックを解除したりすることができる。また、ベース支柱２（図１参照）の中空部分に上から挿通されたクランク支柱３をベース支柱２に対して上下にスライドさせることによって、本体ユニット１８の高さを調整することもできる。
【００２４】
図４は、図２の要部拡大図である。図５は、図４のＡ−Ａ矢視断面図である。
次に、スポットランプユニット１０について詳説する。
スポットランプユニット１０は、図４に示すように、収容カップ２０と、スポットランプ２１とを備えている。
収容カップ２０は、逆さお椀形をなしている（図５参照）。収容カップ２０は、中央本体部４の下面に組み込まれている。詳しくは、収容カップ２０のほとんどの部分は、中央本体部４内に収まっており（図５参照）、収容カップ２０の内部および下側周縁部が、中央本体部４の下面から下方へ露出されている。この状態で、収容カップ２０は、中央本体部４によって支持されており、垂直方向に延びる軸２２（図５参照）を中心として水平面内で回動可能である。収容カップ２０の下側周縁部の周上１箇所には、下方へ突出するつまみ２３が一体的に設けられており、つまみ２３をつまんで動かすことで、収容カップ２０を、任意の角度だけ回動させることができる。
【００２５】
スポットランプ２１は、図５に示すように、収容カップ２０内に収容されている。スポットランプ２１は、収容カップ２０より一回り小さい逆さお椀形をなすケース２４と、ＬＥＤユニット２５とを備えている。
ケース２４には、その外周面から径方向における両外側へ突出する１対の揺動軸２６が一体的に設けられている。これらの揺動軸２６は、同軸状をなして水平方向に延びる水平軸である。ＬＥＤユニット２５は、円板状の基板２７（図４も参照）と、基板２７の下面に配列された多数個のＬＥＤ２８とを含んでいる。基板２７は、ケース２４内に下側から嵌め込まれており、この状態において、ＬＥＤ２８は、ケース２４内から下方へ露出され、さらには、中央本体部４の下面から下方に臨んでいる。ここで、上述した１対の揺動軸２６のそれぞれが、収容カップ２０に対して、収容カップ２０の径方向内側から挿通されており、これにより、スポットランプ２１は、揺動軸２６を中心に揺動可能である。
【００２６】
このようなスポットランプユニット１０では、収容カップ２０を回動させ、さらに、スポットランプ２１を揺動させることで、ＬＥＤ２８の向きを自在に調整できる。
次に、この照明器具１の機能について説明する。
ここで、照明器具１では、外部電源（図示せず）に接続された電気コード（図示せず）が、上述したクランク支柱３および中央本体部４（図１参照）内につながっており、左ウィング５および右ウィング６の各蛍光ランプ１３（図２参照）ならびにスポットランプ２１に接続されている。
【００２７】
上述した左スイッチ７Ｌ（図４参照）を操作すると、左ウィング５の蛍光ランプ１３（図２参照）が、電気コード（図示せず）から電力が供給されることによって発光する。上述した右スイッチ７Ｒ（図４参照）を操作すると、右ウィング６の蛍光ランプ１３（図２参照）が、上述した電力が供給されることによって発光する。上述した中スイッチ７Ｃ（図４参照）を押すと、スポットランプ２１のＬＥＤ２８が、上述した電力が供給されることによって発光する。蛍光ランプ１３およびＬＥＤ２８の光は、それぞれの下方へ向かって照射される。特に、蛍光ランプ１３の光は、ルーバー１２の導光板１６（図２参照）によって下方へ向かうように導かれる。
【００２８】
ここで、上述したように左ウィング５および右ウィング６のそれぞれに備えられた蛍光ランプ１３（図２参照）が点灯回路内蔵型であることから、中央本体部４（図４も参照）では、蛍光ランプ１３の点灯回路を配置せずに済む。そのため、中央本体部４内のスペースを有効利用して、このスペースにスポットランプ２１を配置することができる。これにより、中央本体部４の下方の領域をスポットランプ２１で明るく照らすことができる。
【００２９】
図６において、左ウィング５だけが図２の状態から所定角度だけ前側へ回動した状態を示しており、（ａ）は、卓上用照明器具１の要部平面図であり、（ｂ）は、卓上用照明器具１の正面図である。
上述したようにＬＥＤ２８（図５参照）の向きを自在に調整することで、スポットランプ２１（ＬＥＤ２８）の照射方向も自在に調整でき、スポットランプ２１は、照射方向を自在に変えて、卓上（図６（ｂ）の天板１００の表面上）の所望の領域を照らすことができる。また、中央本体部４に対する左ウィング５および右ウィング６のそれぞれの回動角度も調整可能である。なお、スポットランプ２１は、それ自体（単体）で、机上の所定作業領域を、作業可能な明るさ（たとえば読書可能な明るさ）に照らす照度を備えている。
【００３０】
そこで、たとえば図６（ａ）に示すように、左ウィング５および右ウィング６のどちらか一方または両方を任意の角度だけ回動させ（図６では左ウィング５だけを上述したホームポジションから前側へ所定角度だけ回動させている。）、さらに、スポットランプ２１の照射方向を調整する。
これにより、図６（ｂ）に示すように、天板１００の表面に、左ウィング５の蛍光ランプ１３の照射範囲（１点鎖線で挟まれた範囲）とスポットランプ２１の照射範囲（破線で挟まれた範囲）との重複領域Ｘ、右ウィング６の蛍光ランプ１３の照射範囲（２点鎖線で挟まれた範囲）とスポットランプ２１の照射範囲との重複領域Ｙ、重複領域Ｘと重複領域Ｙとの重複領域Ｚを発生させることができる。
【００３１】
ここで、蛍光ランプ１３の光とスポットランプ２１（ＬＥＤ２８）の光とは、互いに異なる色の光を用いてもよい。たとえば、蛍光ランプ１３は、蛍光色、白色、または白青色等のうちの任意の光色のものを使用できる。スポットランプ２１も、その発光色を選択できる。そのため、重複領域Ｘ、重複領域Ｙおよび重複領域Ｚのそれぞれは、ＬＥＤ２８および蛍光ランプ１３の互いに異なる色の合成光で照射される。つまり、カクテル光による照明を行うことができる。これにより、重複領域Ｘ、重複領域Ｙおよび重複領域Ｚのそれぞれでは、ＬＥＤ２８の光の色と蛍光ランプ１３の光の色とを混ぜ合わせることで、ＬＥＤ２８単体または蛍光ランプ１３単体で照射する場合に比べて、色合いの変わった照明が可能となる。
【００３２】
そして、スポットランプ２１の照射方向ならびに左ウィング５および右ウィング６の上述した回動角度をさらに調整することで、天板１００の表面上における重複領域Ｘ、重複領域Ｙおよび重複領域Ｚの位置を変え、卓上の所望の位置を、上述した合成光で照射することができる。
この発明は、以上説明した実施形態に限定されるものではなく、請求項記載の範囲内において種々の変更が可能である。
【符号の説明】
【００３３】
１      卓上用照明器具
４      中央本体部
５      左ウィング
６      右ウィング
１１    セード
１２    ルーバー
１３    蛍光ランプ
１４    開口
２０    収容カップ
２１    スポットランプ
２６    揺動軸
２８    ＬＥＤ
【図１】
2010287338.tif 000003
【図２】
2010287338.tif 000004
【図３】
2010287338.tif 000005
【図４】
2010287338.tif 000006
【図５】
2010287338.tif 000007
【図６】
2010287338.tif 000008